(57)【要約】      （修正有）【課題】各種消炎鎮痛用貼付布による筋肉痛、関節痛などの緩和治療保険等の効果と、磁石の磁力線による筋肉痛、関節痛などの緩和保険治療等の効果及び磁石粒によるツボの指圧的効果を併せ持った消炎鎮痛用貼付布を提供する。【解決手段】シート状の基布２の表面に消炎鎮痛用貼付剤層３を形成してなる各種消炎鎮痛用貼付布１の消炎鎮痛用貼付剤層３の上面に設定間隔をおいて磁石粒４を貼着配置し、該消炎鎮痛用貼付剤層３の上面に剥離フイルム５を貼着して備えた磁石粒付消炎鎮痛用貼付布Ａであり、各種消炎鎮痛用貼付剤層３による消炎鎮痛治療効果と同時に磁石粒４の磁力線による治療効果及び磁石粒４の粒子が突起として身体のツボを刺激するツボ治療効果を相乗的に発揮するようにしたことを特徴とする、磁石粒付消炎鎮痛用貼付布Ａによって課題を解決した。【選択図】図２
2006175019.tif 000002
【特許請求の範囲】
【請求項１】
シート状の基布の表面に消炎鎮痛用貼付剤層を形成してなる各種消炎鎮痛用貼付布の消炎鎮痛用貼付剤層の上面に設定間隔をおいて磁石粒を貼着配置し、該消炎鎮痛用貼付剤層の上面に剥離フイルムを貼着して備えた磁石粒付消炎鎮痛用貼付布であり、
各種消炎鎮痛用貼付剤層による消炎鎮痛治療効果と同時に磁石粒の磁力線による治療効果及び磁石粒の粒子が突起として身体のツボを刺激するツボ治療効果を相乗的に発揮するようにしたことを特徴とする、磁石粒付消炎鎮痛用貼付布。
【請求項２】
シート状の基布の表面に消炎鎮痛用貼付剤層を形成してなる各種消炎鎮痛用貼付布の消炎鎮痛用貼付剤層の上面に剥離フイルムを貼着して備えてなる消炎鎮痛用貼付布と、
シートの表面に粘着面を形成した粘着シートの粘着面に設定間隔をおいて磁石粒を粘着配置した磁石粒シートをそれぞれ備え、
上記消炎鎮痛用貼付布の下面に上記磁石粒シートの粘着面を粘着して、消炎鎮痛用貼付布と磁石粒シートを一体的に積層構成して備えた磁石粒付消炎鎮痛用貼付布であり、
各種消炎鎮痛用貼付剤層による消炎鎮痛治療効果と同時に磁石粒の磁力線による治療効果及び磁石粒の粒子が突起として身体のツボを刺激するツボ治療効果を相乗的に発揮するようにしたことを特徴とする、磁石粒付消炎鎮痛用貼付布。
【発明の詳細な説明】
【技術分野】
【０００１】
本発明は、各種消炎鎮痛用貼付剤による消炎鎮痛治療効果と同時に磁石の磁力線による治療効果及び磁石の粒子が突起として身体のツボを刺激するツボ治療効果を相乗的に発揮するようにしたことを特徴とする、磁石粒付消炎鎮痛用貼付布に係るものである。
【背景技術】
【０００２】
従来は、筋肉痛、関節痛などの緩和治療保険等の効果を奏する各種の消炎鎮痛用貼付布や、磁石により同様の効果を奏すると共に磁石粒によるツボの指圧的効果を発揮する各種の磁石粒貼付布などが広く一般的に提供されてきた。
【特許文献１】特開２００４−１１５４１７号公報
【特許文献２】特開平９−１６９３４号公報
【発明の開示】
【発明が解決しようとする課題】
【０００３】
然るところ、従来は、各種消炎鎮痛用貼付布による筋肉痛、関節痛などの緩和治療保険等の効果と、磁石の磁力線による筋肉痛、関節痛などの緩和保険治療等の効果及び磁石粒によるツボの指圧的効果を併せ持ったようなものは未だに提供されていなかった。
【０００４】
また、従来の各種磁石粒貼付布は、何れも磁石粒を患部ツボ等の皮膚に直に貼付け、その上、ツボを長時間継続して押圧する指圧的効果を目的として、皮膚に長時間継続して強く押し付けられるため、使用後に剥離すると、皮膚に磁石粒の圧痕跡がハッキリ、クックリと残ってしまい、しかもなかなか消えないため、特に女性が外部から見える若しくは判る場所に使用することを非常に嫌い、避けるという大きな課題があった。
【課題を解決するための手段】
【０００５】
即ち、本発明は、シート状の基布の表面に消炎鎮痛用貼付剤層を形成してなる各種消炎鎮痛用貼付布の消炎鎮痛用貼付剤層の上面に設定間隔をおいて磁石粒を貼着配置し、該消炎鎮痛用貼付剤層の上面に剥離フイルムを貼着して備えた磁石粒付消炎鎮痛用貼付布であり、
【０００６】
各種消炎鎮痛用貼付剤による消炎鎮痛治療効果と同時に磁石の磁力線による治療効果及び磁石の粒子が突起として身体のツボを刺激するツボ治療効果を相乗的に発揮するようにしたことを特徴とする、磁石粒付消炎鎮痛用貼付布によって課題を解決したものである。
【０００７】
また、本発明は、シート状の基布の表面に消炎鎮痛用貼付剤層を形成してなる各種消炎鎮痛用貼付布の消炎鎮痛用貼付剤層の上面に剥離フイルムを貼着して備えてなる消炎鎮痛用貼付布と、
【０００８】
シートの表面に粘着面を形成した粘着シートの粘着面に設定間隔をおいて磁石粒を粘着配置した磁石粒シートをそれぞれ備え、
【０００９】
上記消炎鎮痛用貼付布の下面に上記磁石粒シートの粘着面を粘着して、消炎鎮痛用貼付布と磁石粒シートを一体的に積層構成して備えた磁石粒付消炎鎮痛用貼付布であり、
【００１０】
各種消炎鎮痛用貼付剤層による消炎鎮痛治療効果と同時に磁石粒の磁力線による治療効果及び磁石粒の粒子が突起として身体のツボを刺激するツボ治療効果を相乗的に発揮するようにしたことを特徴とする、磁石粒付消炎鎮痛用貼付布によって課題を解決したものである。
【発明の効果】
【００１１】
請求項１及び２に記載した発明は共に、本磁石粒付消炎鎮痛用貼付布を貼着すると、各種消炎鎮痛用貼付剤による消炎鎮痛治療効果と同時に、磁石の磁力線による治療効果、及び磁石の粒子が突起として身体のツボを刺激するツボ治療効果が、患部に相乗的に発揮されるので、各単品による場合に比して格段に優れた筋肉痛、関節痛などの緩和保険治療等の効果が得られる。
【００１２】
また、請求項２に記載した発明は、上記の効果の他、特に、下記のような優れた特徴がある。
即ち、従来の、また、請求項１記載の発明も、磁石粒を患部ツボ等の皮膚に直に貼付け、その上、ツボを長時間継続して押圧する指圧的効果を目的として、皮膚に長時間継続して強く押し付けられるため、使用後に剥離すると、皮膚に磁石粒の圧痕跡がハッキリ、クックリと残ってしまい、しかもなかなか消えないため、特に女性が外部から見える若しくは判る場所に使用することを非常に嫌い、避けるという大きな課題があったが、
【００１３】
本発明によれば、磁石粒を、比較的肉厚で弾力性を有する各種消炎鎮痛用貼付布の裏面に配置して、磁石粒を患部ツボ等の皮膚に対して間接的に押圧貼着するようにしたので、介在する各種消炎鎮痛用貼付布のクッション作用で圧痕跡が残らない極めて優れた特徴がある。
なお、磁石粒と皮膚の間に各種消炎鎮痛用貼付布が介在してもツボの指圧的効果はさして変わらず、返って人の指先による指圧に近似する特徴があり、また、磁力線は各種消炎鎮痛用貼付布を問題なく透過するため、各種消炎鎮痛用貼付布が介在しても全く影響がない。
【実施例１】
【００１４】
以下に、請求項１に記載の発明の実施例を説明する。
図１は本発明実施例１の平面図、図２は図１の一部拡大断面図である。
【００１５】
シート状の基布２の表面に消炎鎮痛用貼付剤層３を形成してなる各種消炎鎮痛用貼付布１の消炎鎮痛用貼付剤層３の上面に設定間隔をおいて磁石粒４を貼着配置し、該消炎鎮痛用貼付剤層３の上面に剥離フイルム５を貼着して備えた磁石粒付消炎鎮痛用貼付布Ａであり、
【００１６】
各種消炎鎮痛用貼付剤層３による消炎鎮痛治療効果と同時に磁石粒４の磁力線による治療効果及び磁石粒４の粒子が突起として身体のツボを刺激するツボ治療効果を相乗的に発揮するようにしたことを特徴とする、磁石粒付消炎鎮痛用貼付布Ａである。
【００１７】
上記において、使用者は、本磁石粒付消炎鎮痛用貼付布Ａの表面の剥離フイルム５を剥がした後、設定間隔をおいて磁石粒４を貼着配置した消炎鎮痛用貼付剤層３を身体の患部の皮膚に貼着して用いる。
【実施例２】
【００１８】
次に、請求項２に記載の発明の実施例を説明する。
図３は、本発明実施例２の平面図、図４は図３の一部拡大断面図である。
【００１９】
シート状の基布２の表面に消炎鎮痛用貼付剤層３を形成してなる各種消炎鎮痛用貼付布１の消炎鎮痛用貼付剤層３の上面に剥離フイルム５を貼着して備えてなる消炎鎮痛用貼付布１と、
【００２０】
シート６の表面に粘着面７を形成した粘着シート８の粘着面７に設定間隔をおいて磁石粒４を粘着配置した磁石粒シート１０をそれぞれ備え、
【００２１】
上記消炎鎮痛用貼付布１の基布２の下面に上記磁石粒シート１０の粘着面７を粘着して、消炎鎮痛用貼付布１と磁石粒シート１０を一体的に積層構成して備えた磁石粒付消炎鎮痛用貼付布Ｂであり、
【００２２】
各種消炎鎮痛用貼付剤層３による消炎鎮痛治療効果と同時に磁石粒４の磁力線による治療効果及び磁石粒の粒子が突起として身体のツボを刺激するツボ治療効果を相乗的に発揮するようにしたことを特徴とする、磁石粒付消炎鎮痛用貼付布Ｂである。
【図面の簡単な説明】
【００２３】
【図１】本発明実施例１の平面図。
【図２】図１の一部拡大断面図。
【図３】本発明実施例２の平面図。
【図４】図３の一部拡大断面図。
【符号の説明】
【００２４】
Ａ    磁石粒付消炎鎮痛用貼付布（実施例１）
Ｂ    磁石粒付消炎鎮痛用貼付布（実施例２）
１    各種消炎鎮痛用貼付布
２    基布
３    消炎鎮痛用貼付剤層
４    磁石粒
５    剥離フイルム
６    シート
７    粘着面
８    粘着シート
１０  磁石粒シート
【図１】
2006175019.tif 000003
【図２】
2006175019.tif 000004
【図３】
2006175019.tif 000005
【図４】
2006175019.tif 000006